(57)【特許請求の範囲】
【請求項１】
複数のトナー収容部の各々にトナーを収容し当該トナーを用いて印字することの可能な印字機構に対し、当該複数のトナー収容部の何れかのトナー収容部に収容されたトナーを用いて印字するために当該トナー収容部の指定がなされた印字対象の画像を出力する画像処理装置であって、
前記複数のトナー収容部のうち、近赤外光を吸収するカーボンを含む黒トナーが本来収容されるべき黒トナー収容部に、当該近赤外光を吸収しない、イエロー、マゼンタ、シアンの各色のトナーを混合してなる黒トナーが収容されており、当該近赤外光を吸収しないイエロー、マゼンタ、シアンのトナーが本来収容されるべきイエロートナー収容部、マゼンタトナー収容部、シアントナー収容部のうちの一のトナー収容部に、当該近赤外光を吸収する不可視トナーが収容されており、当該イエロートナー収容部、当該マゼンタトナー収容部、当該シアントナー収容部のうちの当該一のトナー収容部以外のトナー収容部に、本来収容されるべきトナーが収容されていることを認識する認識手段と、
前記黒トナー収容部に本来収容されるべき前記近赤外光を吸収するカーボンを含む黒トナーを用いて印字するために当該黒トナー収容部の指定がなされた第１の画像と、前記イエロートナー収容部、前記マゼンタトナー収容部、前記シアントナー収容部に本来収容されるべき当該近赤外光を吸収しないイエロー、マゼンタ、シアンの各色のトナーを混合してなる黒トナーを用いて印字するために当該イエロートナー収容部、当該マゼンタトナー収容部及び当該シアントナー収容部の指定がなされた第２の画像とを取得する取得手段と、
前記第１の画像になされた指定を前記一のトナー収容部以外の少なくとも１つのトナー収容部及び当該一のトナー収容部の指定に変更し、前記第２の画像になされた指定を当該少なくとも１つのトナー収容部の指定に変更し、当該第１の画像と当該第２の画像とを前記印字機構に出力する出力手段と
を備えたことを特徴とする画像処理装置。
【請求項２】
複数のトナー収容部の各々にトナーを収容し当該トナーを用いて印字することの可能な印字機構に対し、当該複数のトナー収容部の何れかのトナー収容部に収容されたトナーを用いて印字するために当該トナー収容部の指定がなされた印字対象の画像を出力する画像処理装置であって、
前記複数のトナー収容部のうち、近赤外光を吸収するカーボンを含む黒トナーが本来収容されるべき黒トナー収容部に、当該近赤外光を吸収する不可視トナーが収容されており、当該近赤外光を吸収しないイエロー、マゼンタ、シアンのトナーが本来収容されるべきイエロートナー収容部、マゼンタトナー収容部、シアントナー収容部に、本来収容されるべきトナーが収容されていることを認識する認識手段と、
前記黒トナー収容部に本来収容されるべき前記近赤外光を吸収するカーボンを含む黒トナーを用いて印字するために当該黒トナー収容部の指定がなされた第１の画像と、前記イエロートナー収容部、前記マゼンタトナー収容部、前記シアントナー収容部に本来収容されるべき当該近赤外光を吸収しないイエロー、マゼンタ、シアンの各色のトナーを混合してなる黒トナーを用いて印字するために当該イエロートナー収容部、当該マゼンタトナー収容部及び当該シアントナー収容部の指定がなされた第２の画像とを取得する取得手段と、
前記第１の画像になされた指定に前記イエロートナー収容部、前記マゼンタトナー収容部及び前記シアントナー収容部のうちの少なくとも１つのトナー収容部の指定を追加し、前記第２の画像になされた指定を当該少なくとも１つのトナー収容部の指定に変更し、当該第１の画像と当該第２の画像とを前記印字機構に出力する出力手段と
を備えたことを特徴とする画像処理装置。
【請求項３】
各々に本来収容すべきトナーの色が決められた複数のトナー収容部と、
前記複数のトナー収容部のうち、何れかのトナー収容部が指定されることにより、当該トナー収容部に収容されたトナーを用いて印字する印字部と、
前記複数のトナー収容部のうち、近赤外光を吸収するカーボンを含む黒トナーが本来収容されるべき黒トナー収容部に、当該近赤外光を吸収しない、イエロー、マゼンタ、シアンの各色のトナーを混合してなる黒トナーが収容されていることを認識する第１の認識部と、
前記複数のトナー収容部のうち、前記近赤外光を吸収しないイエロー、マゼンタ、シアンのトナーが本来収容されるべきイエロートナー収容部、マゼンタトナー収容部、シアントナー収容部のうちの一のトナー収容部に、当該近赤外光を吸収する不可視トナーが収容されており、当該イエロートナー収容部、当該マゼンタトナー収容部、当該シアントナー収容部のうちの当該一のトナー収容部以外のトナー収容部に、本来収容されるべきトナーが収容されていることを認識する第２の認識部と、
前記黒トナー収容部に本来収容されるべき前記近赤外光を吸収するカーボンを含む黒トナーを用いて印字するために当該黒トナー収容部の指定がなされた画像の印字を、前記一のトナー収容部以外の少なくとも１つのトナー収容部及び当該一のトナー収容部を指定して、前記印字部に指示し、前記イエロートナー収容部、前記マゼンタトナー収容部、前記シアントナー収容部に本来収容されるべき当該近赤外光を吸収しないイエロー、マゼンタ、シアンの各色のトナーを混合してなる黒トナーを用いて印字するために当該イエロートナー収容部、当該マゼンタトナー収容部及び当該シアントナー収容部の指定がなされた画像の印字を、当該少なくとも１つのトナー収容部を指定して、前記印字部に指示する指示部と
を備えたことを特徴とする画像形成装置。
【請求項４】
複数のトナー収容部の各々にトナーを収容し当該トナーを用いて印字することの可能な印字機構に対し、当該複数のトナー収容部の何れかのトナー収容部に収容されたトナーを用いて印字するために当該トナー収容部の指定がなされた印字対象の画像を出力する画像処理方法であって、
前記複数のトナー収容部のうち、近赤外光を吸収するカーボンを含む黒トナーが本来収容されるべき黒トナー収容部に、当該近赤外光を吸収しない、イエロー、マゼンタ、シアンの各色のトナーを混合してなる黒トナーが収容されていることを認識するステップと、
前記複数のトナー収容部のうち、前記近赤外光を吸収しないイエロー、マゼンタ、シアンのトナーが本来収容されるべきイエロートナー収容部、マゼンタトナー収容部、シアントナー収容部のうちの一のトナー収容部に、当該近赤外光を吸収する不可視トナーが収容されており、当該イエロートナー収容部、当該マゼンタトナー収容部、当該シアントナー収容部のうちの当該一のトナー収容部以外のトナー収容部に、本来収容されるべきトナーが収容されていることを認識するステップと、
前記黒トナー収容部に本来収容されるべき前記近赤外光を吸収するカーボンを含む黒トナーを用いて印字するために当該黒トナー収容部の指定がなされた第１の画像と、前記イエロートナー収容部、前記マゼンタトナー収容部、前記シアントナー収容部に本来収容されるべき当該近赤外光を吸収しないイエロー、マゼンタ、シアンの各色のトナーを混合してなる黒トナーを用いて印字するために当該イエロートナー収容部、当該マゼンタトナー収容部及び当該シアントナー収容部の指定がなされた第２の画像とを取得するステップと、
前記第１の画像になされた指定を前記一のトナー収容部以外の少なくとも１つのトナー収容部及び当該一のトナー収容部の指定に変更するステップと、
前記第２の画像になされた指定を前記少なくとも１つのトナー収容部の指定に変更するステップと、
指定が変更された前記第１の画像と前記第２の画像とを前記印字機構に出力するステップと
を含むことを特徴とする画像処理方法。
【請求項５】
複数のトナー収容部の各々にトナーを収容し当該トナーを用いて印字することの可能な印字機構に対し、当該複数のトナー収容部の何れかのトナー収容部に収容されたトナーを用いて印字するために当該トナー収容部の指定がなされた印字対象の画像を出力する機能をコンピュータに実現させるためのプログラムであって、
前記コンピュータに、
前記複数のトナー収容部のうち、近赤外光を吸収するカーボンを含む黒トナーが本来収容されるべき黒トナー収容部に、当該近赤外光を吸収しない、イエロー、マゼンタ、シアンの各色のトナーを混合してなる黒トナーが収容されており、当該近赤外光を吸収しないイエロー、マゼンタ、シアンのトナーが本来収容されるべきイエロートナー収容部、マゼンタトナー収容部、シアントナー収容部のうちの一のトナー収容部に、当該近赤外光を吸収する不可視トナーが収容されており、当該イエロートナー収容部、当該マゼンタトナー収容部、当該シアントナー収容部のうちの当該一のトナー収容部以外のトナー収容部に、本来収容されるべきトナーが収容されていることを認識する機能と、
前記黒トナー収容部に本来収容されるべき前記近赤外光を吸収するカーボンを含む黒トナーを用いて印字するために当該黒トナー収容部の指定がなされた第１の画像と、前記イエロートナー収容部、前記マゼンタトナー収容部、前記シアントナー収容部に本来収容されるべき当該近赤外光を吸収しないイエロー、マゼンタ、シアンの各色のトナーを混合してなる黒トナーを用いて印字するために当該イエロートナー収容部、当該マゼンタトナー収容部及び当該シアントナー収容部の指定がなされた第２の画像とを取得する機能と、
前記第１の画像になされた指定を前記一のトナー収容部以外の少なくとも１つのトナー収容部及び当該一のトナー収容部に収容されたトナーの指定に変更し、前記第２の画像になされた指定を当該少なくとも１つのトナー収容部の指定に変更し、当該第１の画像と当該第２の画像とを前記印字機構に出力する機能と
を実現させるためのプログラム。
【発明の詳細な説明】
【技術分野】
【０００１】
本発明は、印刷対象の画像を生成する画像処理装置に関し、より詳しくは、常用トナーを特殊トナーに交換して印字可能な印字機構に出力する画像を生成する画像処理装置等に関する。
【背景技術】
【０００２】
近年、文書や写真等の画像を印刷する際に画像内に情報を埋め込む技術が注目されている。例えば、印刷に用いられた画像形成装置を特定する情報を画像内に埋め込んでおけば、有価証券等の偽造が行われた場合に、その情報を特殊な装置で読み出し、偽造に用いられた画像形成装置を追跡することが可能となる。
かかる情報の埋め込み方法として、従来は、カラートナーを用いて、目視で認識が困難な微小サイズの画像を一定の変調量で重畳して印刷する方法が採られることが多かった。しかしながら、この方法では、埋め込む画像が同じ色のカラー画像に重なる場合、色分解できないため、情報として判別できないという不都合がある。また、この不都合を解消するため、埋め込む情報の量を増やすことも考えられるが、これでは画像密度が高くなり、画像の色調を変化させることになってしまう。
【０００３】
そこで、このような情報の埋め込みを、不可視光に吸収域を有する不可視トナーを用いて行うことが提案されている(例えば、特許文献１参照)。
この特許文献１では、画像形成装置において、例えば、イエロー(Ｙ)、マゼンタ(Ｍ)、シアン(Ｃ)、黒(Ｋ)の各色トナーを収容した現像器に加え、不可視トナーを収容した現像器を設け、この不可視トナーを用いて埋め込み情報を印刷している。
【０００４】
一方、有価証券等の偽造が行われた場合に、偽造物であることを見抜く技術、言い換えれば、有価証券等の原本性を保証する技術も既に提案されている(例えば、特許文献２参照)。
この特許文献２には、カーボンを含む黒(以下、「ピュアブラック」という)と、イエロー(Ｙ)、マゼンタ(Ｍ)、シアン(Ｃ)を混合した黒(以下、「プロセスブラック」という)とを組み合わせ、ピュアブラックの不可視光吸収性を利用した原本性保証プリントが開示されている。即ち、ピュアブラックとプロセスブラックは、通常光の下では略等色であるが、特定波長の不可視光の下では、不可視光吸収性を持つピュアブラックのみが視認できるのである。また、ピュアブラックとプロセスブラックとを組み合わせた原本性保証プリントを複写機で複写した場合、これらが通常光の下で等色なので、両者を区別して再現することは不可能である。つまり、複写後は、不可視光の下でピュアブラックのみを視認することができなくなるので、これにより、偽造されたものであるかどうかを判別することが可能となる。
【０００５】
【特許文献１】特開２００１−２６５１８１号公報(第５−７頁、第３図)
【特許文献２】特開２００３−１３６８２８号公報(第４、５頁、第１図)
【発明の開示】
【発明が解決しようとする課題】
【０００６】
ところで、フルカラーの画像に不可視トナーを用いて情報を埋め込む場合、特許文献１のように、イエロー(Ｙ)、マゼンタ(Ｍ)、シアン(Ｃ)、黒(Ｋ)、不可視(Ｉ)の５つの現像器を用いて印刷することが１つの方法として考えられる。しかしながら、これまでのフルカラー画像形成装置としては、イエロー(Ｙ)、マゼンタ(Ｍ)、シアン(Ｃ)、黒(Ｋ)の４つの現像器を有する構成のものが普通である。そのため、このような４つの現像器の画像形成装置に対し、不可視トナー用の現像器を追加しようとすると、画像形成装置の構成の大幅な変更が必要となり、多くのコストがかかってしまう。
そこで、従来の画像形成装置の構成を変更することなく、不可視トナーによる情報埋め込みを行う方法として、イエロー(Ｙ)、マゼンタ(Ｍ)、シアン(Ｃ)、黒(Ｋ)のいずれかのトナーを不可視(Ｉ)に置き換えて印刷することが考えられる。
【０００７】
例えば、ＫトナーをＩトナーに交換した場合は、イエロー(Ｙ)、マゼンタ(Ｍ)、シアン(Ｃ)、不可視(Ｉ)の各色トナーによる印刷となる。尚、この場合、イエロー(Ｙ)、マゼンタ(Ｍ)、シアン(Ｃ)の混合で黒色を表現できるため、一応フルカラーの印刷も可能となる。
一方で、黒(Ｋ)以外の特定の色を不可視(Ｉ)に交換することも考えられる。ところが、この構成の場合、不可視光を吸収する黒は、不可視(Ｉ)を用いた情報の読取りの障害となるので、通常、黒としては、ピュアブラック(以下、黒(Ｋ)と表記する)ではなく、プロセスブラック(以下、黒(Ｋ’)と表記する)を用いる。即ち、この場合は、黒(Ｋ’)、不可視(Ｉ)に２色カラーを加えたトナーにより印刷する構成、或いは、そもそもフルカラー印刷ができないことから、２色カラーは用いず、黒(Ｋ’)、不可視(Ｉ)のみで印刷する構成となる。
【０００８】
ここで、このように、イエロー(Ｙ)、マゼンタ(Ｍ)、シアン(Ｃ)、黒(Ｋ)のような常用トナーのいずれかを不可視(Ｉ)のような特殊トナーに置き換えた画像形成装置に対し、特許文献２のような、ピュアブラックとプロセスブラックとを組み合わせた画像を出力した場合について考える。その場合、次のような問題が生じる。
例えば、ＣトナーがＩトナーに置き換えられているとする。この場合は、上述したように、黒としてはプロセスブラックを用いるのが普通であるので、イエロー(Ｙ)、マゼンタ(Ｍ)、不可視(Ｉ)、黒(Ｋ’)の４色となる。これらのトナーを用いる画像形成装置に対し、特許文献２の画像を出力したとすると、ピュアブラックの部分はＫ’色で印刷され、プロセスブラックの部分は、Ｙ色、Ｍ色、Ｉ色を組み合わせた色で印刷される。従って、ピュアブラックの部分のみが不可視光で視認できるということがなくなる。また、ピュアブラックの部分とプロセスブラックの部分とに色差が生じ、本来不可視光の下でのみ視認されるべき図柄が、通常光の下で視認できてしまうという問題が生じる。
【０００９】
また、ＫトナーがＩトナーに置き換えられているとする。この場合は、イエロー(Ｙ)、マゼンタ(Ｍ)、シアン(Ｃ)、不可視(Ｉ)の４色となる。これらのトナーを用いる画像形成装置に対し、特許文献２の画像を出力したとすると、ピュアブラックの部分はＩ色で印刷され、プロセスブラックの部分はそのままＫ’色で印刷される。従って、ピュアブラックの部分とプロセスブラックの部分とに色差が生じ、本来不可視光の下でのみ視認されるべき図柄が、通常光の下で視認できてしまうという問題が生じる。
尚、ここでは、特殊トナーとして不可視トナーを例示したが、不可視でなくても、特定波長の光の吸収性を利用して情報を読み取るために用いられる種々の特殊トナーについて同様の問題は生じ得る。
【００１０】
本発明は、以上のような技術的課題を解決するためになされたものであって、その目的は、不可視画像埋め込み用の画像形成装置を用いて、同系色の不可視光吸収トナー及び不可視光非吸収トナーを利用した原本性保証プリントを実現することにある。
また、本発明の他の目的は、イエロー(Ｙ)、マゼンタ(Ｍ)、シアン(Ｃ)のいずれかが不可視(Ｉ)に置き換えられた画像形成装置を用いて、通常光では読み取れず、不可視光で読取り可能な図柄を含む原本性保証プリントを出力することにある。
更に、本発明の他の目的は、黒(Ｋ)が不可視(Ｉ)に置き換えられた画像形成装置を用いて、通常光では読み取れず、不可視光で読取り可能な図柄を含む原本性保証プリントを出力することにある。
【課題を解決するための手段】
【００１１】
かかる目的のもと、本発明では、通常のフルカラー画像形成装置において、不可視光吸収性を有する特殊トナーによって置き換えられた、不可視光吸収性を有しないトナーの色を認識し、埋め込み画像における不可視光で視認させたい図柄等になされた色指定を、その認識された色の指定に変更して出力するようにした。即ち、本発明の画像処理装置は、複数のトナー収容部の各々に常用トナーを収容しその常用トナーを用いて印字することの可能な印字機構に対し、印字対象の画像を出力する画像処理装置であって、複数のトナー収容部のうち、特定波長の光を吸収する第１の常用トナーが収容されるべきトナー収容部に、その特定波長の光を吸収しない特殊トナーが収容されており、その特定波長の光を吸収しない第２の常用トナーが収容されるべきトナー収容部に、その特定波長の光を吸収する特殊トナーが収容されていることを認識する認識手段と、第１の常用トナーの色指定がなされた第１の画像と、第２の常用トナーの色指定がなされた第２の画像とを取得する取得手段と、第１の画像になされた色指定を第２の常用トナーの色指定に変更し、第１の画像を印字機構に出力する出力手段とを備えている。
【００１２】
ここで、特定波長の光は、例えば、近赤外光である。また、第１の常用トナー及びこの第１の常用トナーが収容されるべきトナー収容部に収容されている特殊トナーは、例えば、黒色のトナーであり、第２の常用トナーは、例えば、イエロー、マゼンタ、シアンのいずれかの色のトナーであり、第２の常用トナーが収容されるべきトナー収容部に収容されている特殊トナーは、例えば、不可視トナーである。
【００１３】
また、本発明は、通常のフルカラー画像形成装置において、不可視光吸収性を有する有色トナーが不可視光吸収性を有する不可視トナーに置き換えられた場合に、埋め込み画像における不可視光で視認させたい図柄等と視認させたくない図柄等との色差がなくなるよう色指定を変更して出力するものとして捉えることもできる。その場合、本発明の画像処理装置は、複数のトナー収容部の各々に常用トナーを収容しその常用トナーを用いて印字することの可能な印字機構に対し、印字対象の画像を出力する画像処理装置であって、複数のトナー収容部のうち、特定波長の光を吸収する特定の常用トナーが収容されるべきトナー収容部に、その特定波長の光を吸収する不可視トナーが収容されていることを認識する認識手段と、その特定の常用トナーの色指定がなされた第１の画像と、特定波長の光を吸収しない、その特定の常用トナーと同系色の特殊トナーの色指定がなされた第２の画像とを取得する取得手段と、第１の画像になされた色指定及び第２の画像になされた色指定を共に所定の常用トナーの色指定に変更し、第１の画像と第２の画像とを印字機構に出力する出力手段とを備えている。ここで、特定の常用トナーは、例えば、黒色のトナーであり、特定の特殊トナーは、例えば、イエロー、マゼンタ、シアンの各色のトナーを混合してなる黒系色のトナーである。
【００１４】
更に、本発明は、このような画像処理を行う画像処理部を含む画像形成装置として捉えることもできる。その場合、本発明の画像形成装置は、各々に収容すべきトナーの色が決められた複数のトナー収容部と、この複数のトナー収容部のうち、指定されたトナーが収容されるべきトナー収容部に収容されたトナーを用いて印字する印字部と、複数のトナー収容部のうち、特定波長の光を吸収する第１のトナーが収容されるべきトナー収容部に、その特定波長の光を吸収しない他のトナーが収容されていることを認識する第１の認識部と、複数のトナー収容部のうち、その特定波長の光を吸収しない第２のトナーが収容されるべきトナー収容部に、その特定波長の光を吸収する他のトナーが収容されていることを認識する第２の認識部と、第１のトナーの色指定がなされた画像の印字を、第２のトナーを指定して、印字部に指示する指示部とを備えている。
【００１５】
更にまた、本発明は、このような画像処理の方法として捉えることもできる。その場合、本発明の画像処理方法は、複数のトナー収容部の各々に常用トナーを収容しその常用トナーを用いて印字することの可能な印字機構に対し、印字対象の画像を出力する画像処理方法であって、複数のトナー収容部のうち、特定波長の光を吸収する第１の常用トナーが収容されるべきトナー収容部に、その特定波長の光を吸収しない特殊トナーが収容されていることを認識するステップと、複数のトナー収容部のうち、その特定波長の光を吸収しない第２の常用トナーが収容されるべきトナー収容部に、その特定波長の光を吸収する特殊トナーが収容されていることを認識するステップと、第１の常用トナーの色指定がなされた第１の画像と、第２の常用トナーの色指定がなされた第２の画像とを取得するステップと、第１の画像になされた色指定を第２の常用トナーの色指定に変更するステップと、色指定が変更された第１の画像を印字機構に出力するステップとを含んでいる。
【００１６】
一方、本発明は、コンピュータに画像処理を実行させるプログラムとして捉えることもできる。その場合、本発明のプログラムは、複数のトナー収容部の各々に常用トナーを収容しその常用トナーを用いて印字することの可能な印字機構に対し、印字対象の画像を出力する機能をコンピュータに実現させるためのプログラムであって、コンピュータに、複数のトナー収容部のうち、特定波長の光を吸収する第１の常用トナーが収容されるべきトナー収容部に、その特定波長の光を吸収しない特殊トナーが収容されており、その特定波長の光を吸収しない第２の常用トナーが収容されるべきトナー収容部に、その特定波長の光を吸収する特殊トナーが収容されていることを認識する機能と、第１の常用トナーの色指定がなされた第１の画像と、第２の常用トナーの色指定がなされた第２の画像とを取得する機能と、第１の画像になされた色指定を第２の常用トナーの色指定に変更し、その第１の画像を印字機構に出力する機能とをコンピュータに実現させるためのものである。
【発明の効果】
【００１７】
本発明によれば、不可視画像埋め込み用の画像形成装置を用いて、同系色の不可視光吸収トナー及び不可視光非吸収トナーを利用した原本性保証プリントを実現することが可能となる。
【発明を実施するための最良の形態】
【００１８】
以下、添付図面を参照して、本発明を実施するための最良の形態(以下、「実施の形態」という)について詳細に説明する。
図１は、本実施の形態の前提となるシステムの構成の一例を示したものである。このシステムは、少なくとも、電子文書の印刷を指示する端末装置１００と、電子文書を蓄積する文書リポジトリ２００と、電子文書の画像にコード画像を重畳して印刷する画像形成装置４００とがネットワーク９００に接続されることにより構成されている。また、このシステムは、画像形成装置４００にて出力される印刷物５００も含む。
【００１９】
以下、本システムの動作の概略を説明する。
まず、端末装置１００は、文書リポジトリ２００から印刷対象の電子文書を取得する(Ａ)。そして、画像形成装置４００に対し、この電子文書の印刷を指示する(Ｂ)。このとき、端末装置１００は、印刷に関するパラメータである印刷属性を指定する。この印刷属性には、通常の印刷と同様、用紙サイズ、向き、縮小/拡大、両面印刷、Ｎ−ｕｐ(用紙の１ページ内に電子文書のＮページを割り付ける印刷)等が含まれる。
この電子文書の印刷指示を受けると、画像形成装置４００は、電子文書の画像に埋め込み画像を重畳した画像を紙等の媒体に印刷し、印刷物５００を出力する(Ｃ)。
【００２０】
この場合、埋め込み画像は、通常光の下では等色な２つの画像を組み合わせたものである。そして、２つの画像のうちの一方は、不可視光域における特定波長の光を吸収するため、特殊な装置を用いれば読取り可能であるが、もう一方は、その特定波長の光を吸収する性質を有しておらず、特殊な装置を用いても読み取ることができないようになっている。そして、このような埋め込み画像を、電子文書の画像に重畳することにより、その電子文書の原本性を保証するものである。
例えば、画像形成装置４００は、このような埋め込み画像のうち、特殊な装置で読み取れるようにしたい画像を、赤外光の吸収率が一定の基準以上である黒(Ｋ)を用いて形成する。一方、特殊な装置で読み取れないようにしたい画像を、イエロー(Ｙ)、マゼンタ(Ｍ)、シアン(Ｃ)を用いて形成し、赤外光の吸収率が一定の基準以下になるようにする。
【００２１】
尚、本明細書では、「電子文書」の文言を用いるが、これは、テキストを含む「文書」を電子化したデータのみを意味するものではない。例えば、絵、写真、図形等の画像データ(ラスタデータかベクターデータかによらない)、その他の印刷可能な電子データも含めて「電子文書」としている。
【００２２】
ところで、図１のシステムでは、画像形成装置４００が、Ｙ(イエロー)、Ｍ(マゼンタ)、Ｃ(シアン)、Ｋ(黒)の各色トナーを収容すべき４つのトナー収容部を有することを前提とした。しかしながら、画像形成装置４００の用途によっては、４つのトナー収容部のいずれかに収容されたトナーに代えて赤外吸収性を持つ不可視トナーが収容されることがある。このようなトナーの交換後の画像形成装置４００に対し、ピュアブラックとプロセスブラックを利用した原本性保証画像を出力する場合、本実施の形態では、ピュアブラックで印刷すべき画像を不可視トナーで印刷し、原本性保証画像については例えばグレー化する等により、ピュアブラックの部分とプロセスブラックの部分とが見た目に区別できないようにする。
【００２３】
以下、端末装置１００内の画像処理装置５０がこのような処理を行うものとし、画像処理装置５０の機能構成及び動作について説明する。
図２は、画像処理装置５０の機能構成を示した図である。
図示するように、画像処理装置５０は、文書取得部５１と、文書ＰＤＬ生成部５２と、埋め込み画像取得部５５ａと、色設定情報取得部５３と、色設定情報記憶部５４と、埋め込み画像変換部５５ｂと、出力用ＰＤＬ生成部５６とを備えている。
文書取得部５１は、文書リポジトリ２００(図１参照)から端末装置１００のメモリ内に読み込んである電子文書を取得し、これを画像化して、文書ＰＤＬ生成部５２に伝える。また同時に、埋め込み画像取得部５５ａに対し埋め込み画像の取得を指示する。文書ＰＤＬ生成部５２は、文書取得部５１から渡された文書画像をＰＤＬ(Page Description Language)で記述された文書ＰＤＬに変換する。
埋め込み画像取得部５５ａは、端末装置１００のメモリ内に格納された埋め込み画像を取得し、これを埋め込み画像変換部５５ｂに伝える。また同時に、色設定情報取得部５３に対し色設定情報の取得を指示する色設定情報取得指示を出力する。尚、埋め込み画像取得部５５ａは、埋め込み画像を取得するという観点から、取得手段として把握することもできる。
【００２４】
色設定情報取得部５３は、埋め込み画像取得部５５ａから色設定情報取得指示があると、画像形成装置４００(図１参照)に色設定情報の送信を要求し、色設定情報を取得する。ここで、色設定情報とは、画像形成装置４００にてどの色のトナーに代えて不可視トナーが用いられているかを示す情報である。例えば、黒(Ｋ)が不可視(Ｉ)に置き換えられている旨の情報や、シアン(Ｃ)が不可視(Ｉ)に置き換えられている旨の情報である。また、後者のように、黒(Ｋ)以外が不可視(Ｉ)に置き換えられている場合は、黒(Ｋ)も黒(Ｋ’)に置き換えられているのが普通であるので、その旨の情報を色設定情報に含めてもよい。そして、色設定情報記憶部５４は、色設定情報取得部５３が取得した色設定情報をメモリ等の記憶手段に記憶する。尚、この色設定情報取得部５３は、画像形成装置４００においてどの色のトナーが不可視トナーに置き換えられているかを認識するという観点から、認識手段として把握することもできる。
【００２５】
埋め込み画像変換部５５ｂは、埋め込み画像取得部５５ａから渡された埋め込み画像の色指定を、色設定情報記憶部５４に記憶された色設定情報を参照して変換し、出力用ＰＤＬ生成部５６に出力する。
出力用ＰＤＬ生成部５６は、文書ＰＤＬ生成部５２から渡された文書ＰＤＬに対し、埋め込み画像変換部５５ｂから渡された埋め込み画像及び色指定の情報を設定することにより出力用ＰＤＬを生成し、画像形成装置４００に出力する。尚、埋め込み画像変換部５５ｂ及び出力用ＰＤＬ生成部５６は、画像形成装置４００に対し印刷対象の画像を色指定を変更して出力するという観点から、出力手段として把握することもできる。
【００２６】
尚、これらの機能は、ソフトウェアとハードウェア資源とが協働することにより実現される。即ち、端末装置１００の図示しないＣＰＵが、文書取得部５１、文書ＰＤＬ生成部５２、埋め込み画像取得部５５ａ、色設定情報取得部５３、埋め込み画像変換部５５ｂ、出力用ＰＤＬ生成部５６の各機能を実現するプログラムを、例えばハードディスク等の外部記憶装置からメインメモリに読み込んで、画像処理装置５０内にこれらの各機能を実現する。
【００２７】
次に、この画像処理装置５０の動作について説明する。
まず、文書取得部５１は、文書リポジトリ２００から端末装置１００のメモリ内に読み込まれた電子文書を取得する。そして、ユーザの印刷指示に応じて、電子文書を画像化した文書画像を文書ＰＤＬ生成部５２に文書画像を送ることで、電子文書の印刷を指示する。次いで、文書ＰＤＬ生成部５２は、文書取得部５１から文書画像を受け取ると、その文書画像を印刷するためのＰＤＬを生成する。
一方、文書取得部５１は、印刷指示と同時に、埋め込み画像取得部５５ａに対して埋め込み画像の取得を指示する。これにより、埋め込み画像取得部５５ａは、端末装置１００のメモリ内に格納された埋め込み画像を取得し、これを埋め込み画像変換部５５ｂに送る。また、埋め込み画像取得部５５ａは、色設定情報取得部５３に対して色設定情報取得指示を伝える。
そこで、以下、この場合の色設定情報取得部５３及び埋め込み画像変換部５５ｂの処理について説明する。
【００２８】
図３は、色設定情報取得部５３の処理を示したフローチャートである。
まず、色設定情報取得部５３は、埋め込み画像取得部５５ａから色設定情報取得指示があるかどうかを監視する(ステップ５３１)。即ち、色設定情報取得指示がなければ、ステップ５３１を繰り返し、色設定情報取得指示があれば、画像形成装置４００に対し、色設定情報の送信を要求する(ステップ５３２)。
これに応じて、画像形成装置４００は、色設定情報を取得する。即ち、複数のトナー収容部のうち、どの色のトナー収容部に不可視トナーがセットされているかを検出する。尚、この検出方法としては、例えば、どの色のトナーを不可視トナーに交換したかをトナー交換時にユーザが設定しメモリ等に記憶しておき、これに基づいて検出する方法がある。また、トナーカートリッジをロックするロック機構の凹凸パターンを色ごとに異ならせておき、その凹凸パターンを認識することで、不可視トナーのカートリッジが装着されていることを検出する方法も考えられる。尚、色設定情報として、黒(Ｋ)が黒(Ｋ’)に置き換えられていることを示す情報を取得するようにしてもよい。
そして、画像形成装置４００がこの取得した色設定情報を返信すると、色設定情報取得部５３はこれを受信し(ステップ５３３)、色設定情報記憶部５４に記憶する(ステップ５３４)。
【００２９】
また、図４は、埋め込み画像変換部５５ｂの処理を示したフローチャートである。尚、ここでは、画像形成装置４００において、シアン(Ｃ)が不可視(Ｉ)に置き換えられ、黒(Ｋ)が黒(Ｋ’)に置き換えられているものとする。
まず、埋め込み画像変換部５５ｂは、埋め込み画像取得部５５ａから埋め込み画像を取得する(ステップ５５１)。次に、色設定情報記憶部５４から色設定情報を取り出し(ステップ５５２)、色設定情報に基づいて色指定を変換する処理を行う。
ここで、色指定の変換処理は、図５に示すような埋め込み画像のドットの１つ１つに対し、色指定の変換を行う処理である。図５は、紙のほぼ全面に埋め込まれる埋め込み画像の一部を示したものである。また、実際には、文書画像に対しこの埋め込み画像が重ね合わせられるが、ここでは、文書画像については省略している。
以下の動作説明では、図５に示すように、下方向にＸ軸をとり、右方向にＹ軸をとり、Ｘ座標「ｉ」、Ｙ座標「ｊ」のドットをＰ(ｉ，ｊ)で表す。また、各ドットに対しては、ピュアブラックの色指定、又は、プロセスブラックの色指定がなされている。図５では、前者を黒丸で示し、後者を斜線を施した丸で示している。
【００３０】
この色指定の変換処理において、まず、埋め込み画像変換部５５ｂは、Ｘ座標をカウントするための変数「ｉ」に「１」を設定し(ステップ５５３)、Ｙ座標をカウントするための変数「ｊ」に「１」を設定する(ステップ５５４)。
そして、全てのＰ(ｉ，ｊ)に対し、ステップ５５５〜５５７の処理を行う。
即ち、まず、埋め込み画像変換部５５ｂは、色設定情報を参照し、Ｐ(ｉ，ｊ)になされていた色指定を、不可視(Ｉ)で置き換えられた色以外の色指定に変更する(ステップ５５５)。例えば、黒(Ｋ)の色指定に変更すれば、実際には黒(Ｋ’)で印刷されることになるため、埋め込み画像は、プロセスブラックの濃淡で表される。或いは、イエロー(Ｙ)、マゼンタ(Ｍ)の単色の色指定に変更してもよいし、イエロー(Ｙ)、マゼンタ(Ｍ)を一定の割合で組み合わせた色指定に変更してもよい。このような色指定の変換を行わなければ、ピュアブラックの部分はプロセスブラックで印刷され、プロセスブラックの部分はシアン(Ｃ)が抜け落ちた色で印刷されることになり、それらの部分に色差が生じてしまうため、ステップ５５５においてこれを防止しているのである。
【００３１】
次に、埋め込み画像変換部５５ｂは、Ｐ(ｉ，ｊ)がピュアブラックであるかどうか判定する(ステップ５５６)。その結果、ピュアブラックでなければ、色指定の追加は行わないが、ピュアブラックであれば、色設定情報を参照し、不可視(Ｉ)で置き換えられた色の指定を追加する(ステップ５５７)。このような色指定の追加を行わなければ、ピュアブラックの部分は例えばプロセスブラックのみで印刷されることになり、特定波長の光による情報読取りが行えなくなってしまうため、ステップ５５７においてこれを防止しているのである。
【００３２】
その後、埋め込み画像変換部５５ｂは、変数「ｊ」に「１」を加算し(ステップ５５８)、変数「ｊ」と、Ｙ軸方向のドット数「Ｎ」とを比較する(ステップ５５９)。
その結果、変数「ｊ」がドット数「Ｎ」を超えていなければ、ステップ５５５に戻る。一方、変数「ｊ」がドット数「Ｎ」を超えていれば、変数「ｉ」に「１」を加算し(ステップ５６０)、変数「ｉ」と、Ｘ軸方向のドット数「Ｍ」とを比較する(ステップ５６１)。
その結果、変数「ｉ」がドット数「Ｍ」を超えていなければ、ステップ５５４に戻る。一方、変数「ｉ」がドット数「Ｍ」を超えていれば、この色指定の変換後の埋め込み画像を出力用ＰＤＬ生成部５６に出力する。
【００３３】
これにより、出力用ＰＤＬ生成部５６は、文書ＰＤＬ生成部５２から送られた文書ＰＤＬに対し、埋め込み画像変換部５５ｂから送られた埋め込み画像及び色指定の情報を設定することにより、出力用ＰＤＬを生成する。
そして、この出力用ＰＤＬを画像形成装置４００に送信することで、画像形成装置４００では、肉眼で視認できず、かつ、赤外光で読み取ることの可能な図柄を含む埋め込み画像が印刷されることとなる。
【００３４】
図６は、図１の画像形成装置４００の構成を示した図であり、所謂タンデム型の機構を示している。尚、この画像形成装置４００は、本来、イエロー(Ｙ)、マゼンタ(Ｍ)、シアン(Ｃ)、黒(Ｋ)の４つの現像器を有する画像形成装置において、シアン(Ｃ)に代えて不可視(Ｉ)を用い、黒(Ｋ)に代えて黒(Ｋ’)を用いたものである。
この画像形成装置４００は、各色の階調データに対応して画像形成を行う画像プロセス系４１０、記録用紙(シート、媒体)を搬送するシート搬送系４３０、画像形成装置４００全体を制御する画像出力制御部４４１、例えばパーソナルコンピュータやスキャナユニット４４５等に接続され、受信された画像データに対して所定の画像処理を施す画像処理系であるＩＰＳ(Image Processing System)４４２を備えている。尚、図６は、画像形成装置４００をユーザが操作する側(手前側)から見た図である。
【００３５】
画像プロセス系４１０は、水平方向に一定の間隔を置いて並列的に配置される、イエロー(Ｙ)、マゼンタ(Ｍ)、不可視(Ｉ)、黒(Ｋ’)の４つの画像形成ユニット４１１Ｙ,４１１Ｍ,４１１Ｉ,４１１Ｋ’、この画像形成ユニット４１１Ｙ,４１１Ｍ,４１１Ｉ,４１１Ｋ’の感光体ドラム４１２に形成された各色のトナー像を中間転写ベルト４２１上に多重転写させる転写ユニット４２０を備えている。また、転写ユニット４２０によって二次転写された記録用紙上の画像を、熱及び圧力を用いて記録用紙に定着させる定着器４２９を備えている。更に、画像形成ユニット４１１Ｙ,４１１Ｍ,４１１Ｉ,４１１Ｋ’に対して各色のトナーを供給するためのトナーカートリッジ４１９Ｙ,４１９Ｍ,４１９Ｉ,４１９Ｋ’が設けられている。
【００３６】
本実施の形態において、各画像形成ユニット４１１(４１１Ｙ,４１１Ｍ,４１１Ｉ,４１１Ｋ’)は、矢印Ａ方向に回転する感光体ドラム４１２の周囲に、これらの感光体ドラム４１２を帯電させる帯電器４１３、感光体ドラム４１２上に静電潜像を書き込むレーザ露光器４１４、各色成分トナーが収容されて感光体ドラム４１２上の静電潜像をトナーにより現像する現像器４１５、感光体ドラム４１２上に形成された各色成分トナー像を中間転写ベルト４２１に転写する一次転写ロール４１６、感光体ドラム４１２上の残留トナーを除去するドラムクリーナ４１７等の電子写真用デバイスが順次配設されている。これらの画像形成ユニット４１１は、中間転写ベルト４２１の上流側から、イエロー(Ｙ)、マゼンタ(Ｍ)、不可視(Ｉ)、黒(Ｋ’)の順に配置されている。
【００３７】
転写ユニット４２０は、中間転写ベルト４２１を駆動するドライブロール４２２、中間転写ベルト４２１に一定のテンションを付与するテンションロール４２３、重畳された各色のトナー像を記録用紙に二次転写するためのバックアップロール４２４、中間転写ベルト４２１上に存在する残留トナー等を除去するベルトクリーナ４２５を備えている。中間転写ベルト４２１は、このドライブロール４２２とテンションロール４２３及びバックアップロール４２４との間に一定のテンションで掛け回されており、定速性に優れた専用の駆動モータ(図示せず)によって回転駆動されるドライブロール４２２により、矢印Ｂ方向に所定の速度で循環駆動される。この中間転写ベルト４２１は、例えば、チャージアップを起こさないベルト素材(ゴム又は樹脂)にて抵抗調整されたものが使用されている。
【００３８】
シート搬送系４３０は、画像が記録される記録用紙(シート、媒体)を積載して供給する給紙トレイ４３１、給紙トレイ４３１から記録用紙を取り上げて供給するナジャーロール４３２、ナジャーロール４３２から供給された記録用紙を１枚ずつ分離して搬送するフィードロール４３３、フィードロール４３３により１枚ずつに分離された記録用紙を画像転写部に向けて搬送する搬送路４３４を備えている。また、搬送路４３４を介して搬送された記録用紙に対し、二次転写位置に向けてタイミングを合わせて搬送するレジストロール４３５、二次転写位置に設けられバックアップロール４２４に圧接して記録用紙上に画像を二次転写する二次転写ロール４３６、定着器４２９によってトナー画像が定着された記録用紙を機外に排出する排出ロール４３７、排出ロール４３７によって排出された記録用紙を積載する排出トレイ４３８を備えている。
【００３９】
また、スキャナユニット４４５は、図示しないＣＣＤイメージセンサ等によってプラテンガラスに載置された原稿の画像、又は、プラテンガラス上を搬送される原稿の画像を読み取る。ここで、本実施の形態における画像形成装置４００では、その上部側にスキャナユニット４４５を配設することにより、省スペース化を図っている。尚、排出トレイ４３８とスキャナユニット４４５との間には所定の隙間が形成されており、排出トレイ４３８に排出された画像形成後の記録用紙を容易に取り出せるようになっている。
【００４０】
次に、この画像形成装置４００の作像プロセスについて説明する。
まず、図２の出力用ＰＤＬ生成部５６で生成された出力用ＰＤＬが、ＩＰＳ４４２に入力される。ＩＰＳ４４２は、入力されたＰＤＬに対し、所定の画像処理を施す。画像処理が施された画像データは、イエロー(Ｙ)、マゼンタ(Ｍ)、不可視(Ｉ)、黒(Ｋ’)の４色の色材階調データに変換され、各画像形成ユニット４１１Ｙ,４１１Ｍ,４１１Ｉ,４１１Ｋ’のレーザ露光器４１４に出力される。
【００４１】
各画像形成ユニット４１１Ｙ,４１１Ｍ,４１１Ｉ,４１１Ｋ’では、感光体ドラム４１２が帯電器４１３によって所定の電位に帯電される。また、各画像形成ユニット４１１Ｙ,４１１Ｍ,４１１Ｉ,４１１Ｋ’のレーザ露光器４１４では、ＩＰＳ４４２より入力された色材階調データに応じて、画像形成ユニット４１１Ｙ,４１１Ｍ,４１１Ｉ,４１１Ｋ’の感光体ドラム４１２にレーザ光を照射している。画像形成ユニット４１１Ｙ,４１１Ｍ,４１１Ｉ,４１１Ｋ’の感光体ドラム４１２では、帯電された表面が露光され、静電潜像が形成される。形成された静電潜像は、各々の画像形成ユニット４１１Ｙ,４１１Ｍ,４１１Ｉ,４１１Ｋ’の現像器４１５にて、イエロー(Ｙ)、マゼンタ(Ｍ)、不可視(Ｉ)、黒(Ｋ’)の各色のトナー像として現像される。
【００４２】
画像形成ユニット４１１Ｙ,４１１Ｍ,４１１Ｉ,４１１Ｋ’の各感光体ドラム４１２上に形成されたトナー像は、中間転写ベルト４２１上に多重転写される。このとき、イエロー、マゼンタ、不可視のトナー像を形成する画像形成ユニット４１１Ｙ,４１１Ｍ,４１１Ｉは、中間転写ベルト４２１の移動方向の最上流側に設けられているため、イエロー、マゼンタ、不可視のトナー像を中間転写ベルト４２１に対して最初に一次転写する。また、黒のトナー像を形成する画像形成ユニット４１１Ｋ’は、中間転写ベルト４２１の移動方向の最下流側に設けられているため、黒のトナー像を中間転写ベルト４２１に対して最後に一次転写する。そして、転写後の画像形成ユニット４１１Ｙ,４１１Ｍ,４１１Ｉ,４１１Ｋ’の感光体ドラム４１２は、ドラムクリーナ４１７によってクリーニングされる。
【００４３】
一方、シート搬送系４３０では、画像形成のタイミングに合わせてナジャーロール４３２が回転し、給紙トレイ４３１から所定サイズの記録用紙が供給される。フィードロール４３３により１枚ずつ分離された記録用紙は、搬送路４３４を経てレジストロール４３５に搬送され、一旦、停止される。その後、トナー像が形成された中間転写ベルト４２１の移動タイミングに合わせてレジストロール４３５が回転し、記録用紙は、バックアップロール４２４及び二次転写ロール４３６によって形成される二次転写位置に搬送される。二次転写位置にて下方から上方に向けて搬送される記録用紙には、圧接力及び所定の電界を用いて、４色が多重されているトナー像が副走査方向に順次、転写される。そして、各色のトナー像が転写された記録用紙は、定着器４２９によって熱及び圧力で定着処理を受けた後、排出ロール４３７によって上部に設けられた排出トレイ４３８に排出される。一方、二次転写後の中間転写ベルト４２１は、ベルトクリーナ４２５によってクリーニングされ、次のプロセスに備える。
【００４４】
尚、図４〜６の説明では、イエロー(Ｙ)、マゼンタ(Ｍ)、シアン(Ｃ)、黒(Ｋ)の４つの現像器を有する画像形成装置において、シアン(Ｃ)に代えて不可視(Ｉ)を用いた場合を想定して説明した。しかしながら、シアン(Ｃ)以外の色に代えて不可視(Ｉ)を用いた場合であっても、本発明は適用可能である。例えば、イエロー(Ｙ)又はマゼンタ(Ｍ)に代えて不可視(Ｉ)を用いた場合、上記と同様に本発明を適用することができる。
一方、黒(Ｋ)に代えて不可視(Ｉ)を用いた場合は、赤外光による情報読取りは問題なく行えるが、ピュアブラックの部分とプロセスブラックの部分とで色差が生じてしまうという問題は依然としてある。従って、図４のステップ５５５のような、これらの部分の色差を感じさせないようにする処理は行う必要がある。
【００４５】
また、本実施の形態では、通常の画像形成装置の構成として、４色の常用トナーを用いる構成を例示し、いずれかの常用トナーの代わりに用いる特殊トナーを不可視トナーとしたが、このような構成に限られるものではない。また、特殊トナーとしては、特定波長の光の吸収性を利用して情報読取りを可能にするものであれば、如何なるトナーを採用してもよい。
【００４６】
更に、本実施の形態では、埋め込み画像になされた色指定を変換する処理を、ネットワークを介して画像形成装置に接続されたパーソナルコンピュータ等の端末装置で行うこととした。従って、端末装置から画像形成装置へ画像を出力するためのＰＤＬに対し、色指定の情報をＰＤＬコマンドで設定するようにした。しかしながら、このような色指定の変換処理は、画像形成装置内のＩＰＳにて行うことも可能である。この場合は、どの色のトナーが特殊トナーに置き換えられているかを画像形成装置自身が検出し、ＩＰＳは、特殊トナーによって置き換えられている色の信号を用いて、画像形成装置内の印刷機構に対し印刷を指示することになる。
【００４７】
以上述べたように、本実施の形態では、通常のフルカラー画像形成装置において、不可視光吸収性を有する特殊トナーによって置き換えられた、不可視光吸収性を有しないトナーの色を認識し、埋め込み画像における不可視光で視認させたい図柄等になされた色指定を、その認識された色の指定に変更して出力するようにした。そして、このような構成により、通常のフルカラー画像形成装置を不可視画像埋め込み用の画像形成装置として用いている場合であっても、同系色の不可視光吸収トナー及び不可視光非吸収トナーを利用した原本性保証プリントを出力することが可能となった。しかも、どのトナーを特殊トナーと交換したかをユーザが意識することなく、原本性保証プリントを出力できるようになった。
【図面の簡単な説明】
【００４８】
【図１】本発明の実施の形態の前提となるシステムの全体構成を示した図である。
【図２】本発明の実施の形態における画像処理装置の機能構成を示した図である。
【図３】本発明の実施の形態の画像処理装置における色設定情報取得部の動作を示したフローチャートである。
【図４】本発明の実施の形態の画像処理装置における埋め込み画像変換部の動作を示したフローチャートである。
【図５】本発明の実施の形態において媒体上に印刷される埋め込み画像を説明するための図である。
【図６】本発明の実施の形態における画像形成装置の構成例を示した図である。
【符号の説明】
【００４９】
５０…画像処理装置、１００…端末装置、２００…文書リポジトリ、４００…画像形成装置、５００…印刷物
【図１】
0005256577.tif 000002
【図２】
0005256577.tif 000003
【図３】
0005256577.tif 000004
【図４】
0005256577.tif 000005
【図５】
0005256577.tif 000006
【図６】
0005256577.tif 000007